(57)【特許請求の範囲】
【請求項１】
オペレータによる選択始動に応じて少なくとも１つの従属変数及び１つの独立変数を有する数学的関数を入力する入力装置と、
前記入力装置に動作可能に接続され、前記従属変数及び前記独立変数のそれぞれに対する順序付けられた数値の集まりを生成するために前記数学的関数を受信しかつ当該数学的に関数を計算するプロセッサと、
前記プロセッサに動作可能に接続され、かつ前記計算された順序付けられた数値の集まりを垂直に配置された入力の表による視覚表示のために配列する所定の表の表示形式を有している表示装置とを備え、
前記入力装置は、表示のために前記独立変数に対する最小数値及び増分段階値を更に受信し、
前記プロセッサは、前記入力装置によって入力されたような前記独立変数に対する前記最小数値及び前記増分段階値に応じて前記表示装置によって前記所定の表の表示形式での表示のために所定数の順序付けられた数値の集まりを生成することを特徴とする電子計算機。
【請求項２】
計算機において表の情報でグラフをサポートする方法であって、
少なくとも１つの従属変数及び１つの独立変数を有する数学的関数を受信する段階と、
前記数学的関数を計算しかつ前記従属変数及び前記独立変数に対する順序付けられた数値の集まりを生成する段階と、
前記計算された順序付けられた数値の集まりを垂直に配置された入力の表による視覚表示のために配列する所定の表の表示形式で表示する段階と、
表示のために前記独立変数に対する最小数値及び増分段階値を更に受信する段階と、
前記独立変数に対する前記最小数値及び前記増分段階値に応じて前記所定の表の表示形式での表示のために所定数の順序付けられた数値の集まりを生成する段階とを具備することを特徴とする方法。
【発明の詳細な説明】
【０００１】
【産業上の利用分野】
本発明は、一般的にはデジタルコンピュータ及び計算機の分野に関する。より特定的には本発明は、作表能力を有する計算機に関する。
【０００２】
【従来の技術】
計算機には図形処理能力を組み込むことができる。これらの計算機は、一般的にはグラフを描くための内蔵ソフトウェアを有する専用コンピュータである。ある関数が入力されると図形計算機は、予め定義された座標軸上にその関数をプロットすることができる。これらの図形計算機は、効果的な数学授業用ツールとして教育に使用されてきた。教師は、種々の数学方程式を容易且つ迅速にプロットして数式とそれらに対応するグラフとの間の相互関係を示すことができる。従って、学生は抽象的な数学的概念をより容易に理解するようになる。
しかしながら従来の図形計算機は、プロットされるグラフを支援する数値情報を提供する能力に欠けるという重大な限界があった。時にはプロットされる関数に関する数値情報を入手することが可能であるが、その入手手順は厄介であり、その情報は普通の手法では表示されなかった。この能力が設けられていない場合には、例えば０、極大及び極小のようなその関数に関する有用な、時には核心的な情報を直ちに利用することはできない。従って、図形計算機もしくはコンピュータ内の図形関数を支援する所望の数値情報を供給する能力に対する要望が存在している。
【０００３】
【発明の概要】
本発明によれば、従来の計算機及びコンピュータに関連する諸欠陥及び諸問題を実質的に排除もしくは減少させる計算機が提供される。
本発明の一面においては、デジタルコンピュータもしくは計算機に数値データ作表能力が組入れられている。この計算機によってユーザには、１もしくはそれ以上の数学的関数を指定する能力と、これらの関数を支援する数値データをどのように表示するのかを指定する能力とが与えられる。
本発明の別の面においては図形計算機もしくはコンピュータは、少なくとも１つの数学的関数を受ける入力装置と、この数学的関数を計算するプロセッサと、計算の結果をユーザが指定できる表様式（もしくはフォーマット）で表示する表示装置とを含む。
本発明の更に別の面においては、数学的関数を支援する数値データを計算機もしくはコンピュータにおいて生成し、表示する方法が提供される。本方法は、少なくとも１つの数学的関数を受信する段階と、この数学的関数を支援する数値を計算する段階と、これらの数値を指定された表様式で表示する段階とを含む。
【０００４】
【実施例】
図１は、全体を１０で示すプログラム可能な図形計算機の正面図である。一般に図形計算機１０には、液晶（ＬＣＤ）で実現することができる図形表示画面１２が組み込まれている。表示画面１２の寸法は、明瞭且つ充分な図形及び数値データを表示するように選択される。
図形計算機１０は、図１に示すキーパッドのような入力装置１４も含む。入力装置１４は、データを入力するためと、グラフをプロットさせたり、表を表示させたりするような若干のタスクを図形計算機１０に遂行させるのを指図するためとに使用される。図形計算機１０は、プログラム命令を実行し、データ及び命令を入力装置１４から受信し、数式を計算し、そして計算した数式をグラフ化するプロセッサをも含んでいる。更に図形計算機１０は、データ及びプログラム命令を記憶するメモリ１８を含む。メモリ１８は読出し専用メモリ（ＲＯＭ）、もしくはランダムアクセスメモリ（ＲＡＭ）、スマートカード、もしくはプログラム命令を恒久的に記憶するためのゲートアレイのような他の適当な記憶媒体を含むことができる。
【０００５】
図１に示すように、入力装置１４には特定機能に専用のキーが規則正しい行及び列に組み込まれている。作表機能に特に関係があるキーは、〔Ｙ＝〕キー２０、〔 TblSet 〕キー２２、〔 TABLE〕キー２４、及び矢印キー２６である。これらのキーの中の〔 TblSet 〕キー２２及び〔 TABLE〕キー２４を操作するには、〔２nd〕キー２８を押す必要がある。これらのキーの機能に関しては、作表プロセスに関連して後述する。関係のある他のキーに関しても、必要に応じて簡単に説明する。
図２に示す流れ図は、数式もしくはグラフを支援する数値解の表を生成する典型的な手順を示す。ブロック３２に示すように、適切な１もしくは複数のキーストロークによってユーザが指図もしくは命令を入力すると、図形計算機１０は画面表示を発生して数学的関数を入力可能ならしめる。図５に示すこのような画面表示の例１３０では、Ｙ1 ＝５ cosＸ  がキーボード入力されている。図示のように、次の行以降に他の数学的関数を入力することができる。指定できる数式の数を制限しているのは計算機１０の能力、及び実用性だけである。数学的関数を入力したユーザは、図６に示すようなグラフ１４０、もしくは図８に示すような独立変数Ｘと従属変数Ｙ1 の順序付けられた数値の集まりの何れかを見るように選択することができる。他の表示オプションも〔 TblSet 〕の設定を変えることによって使用可能である。
【０００６】
メモリ１８は、表の準備（もしくはセットアップ）設定毎の省略時値を記憶することができる。図２のブロック３４に示すように、ユーザは先ず表の様式を指定することができる。１もしくは複数の適切なキーストロークによって指図もしくは命令が入力されると、図７に示すような表準備メニュー画面〔TABLE SETUP 〕１５０が現れる。画面表示１５０では、表示すべき独立変数の最小の数値  < Tbl Min > が  −0.5 に設定され、その独立変数の増分段階値  < ΔTbl > が 0.5  に設定されていることが示されている。更に < Indpnt > で表される各独立変数と、 < Depend > で表される従属変数の４動作モード組合せの中から２つの動作モードを設定することができる。これらの動作モードの設定機能に関しては後述する。表様式が準備されるか、もしくは省略時値を使用する場合、１もしくは複数の適切なキーストロークを入力することによって、図２のブロック３６に示すように表が表示される。
図３及び４に、この手順の詳細な流れ図を示す。図３のブロック４０に示すように、図形計算機１０に電源を投入すると図形計算機１０はユーザの命令もしくは指図を待つ。ブロック４２に示すように、もし〔Ｙ＝〕キー２０が押されれば図５に示すような関数入力画面１３０が表示される。ブロック４４において入力された数学的関数を受信した後に、プロセッサ１６はブロック４０に戻されて再び次の命令もしくはキーストロークを待つ。受信した数学的関数はメモリ１８内に記憶される。数学的関数を入力した後にユーザは〔 GRAPH〕キー２４のような適切なキーを押すことによってそのグラフを見るのか、もしくは省略時値または予め設定した値を使用した表様式で独立変数及び従属変数の数値を見るのかを選択することができる。
【０００７】
もしユーザが〔 TblSet 〕キー２２を押せば、図３のブロック５０に示すように表示画面１２上には表準備メニューが表示される。このような画面表示１５０を図７に示す。もし表様式が予め設定されていなければ、パラメタ毎の省略時値が示される。< Tbl Min > のための省略時値は０に設定することができ、 <ΔTbl > は１に設定することができ、そして < Indpnt > 及び < Depend > の両者は < Auto > に設定することができる。 < Indpnt > 及び < Depend > を設定することにより、独立変数及び従属変数の値を自動的に計算するのか、もしくはユーザの指図で計算するのかが決定される。パラメタ値を変更するには、矢印キー２６を使用してカーソルを適切な位置まで移動させてから数字をキーによって入力すればよい。式も同様にして入力することができ、これらの式は〔 ENTER〕キーを押すと数字の解にされる。 < Indpnt > 及び < Depend > の設定は、所望する方の動作モードの上にカーソルを位置決めし、キーパッド１４の右下隅に配置されている〔 ENTER〕キーを押すことによって変更することができる。図示のように < Tbl Min >は  −0.5 に、また <ΔTbl > は 0.5  に、そして < Indpnt > 及び < Depend > は共に < Auto > に変更されている。図３のブロック５２−５６に示すように表様式パラメタ設定が入力されると、プロセッサ１６はこれらの値を受信する。次いでプロセスはブロック４０へ戻されて次のユーザ命令を待機する。
【０００８】
この時点でユーザは < TABLE >  キー２４を押すことによって表表示を見るように選択することができる。ブロック６０に示すように独立変数及び従属変数の数値を並べた表が表示される。このような画面の例を図８に示す。表画面１６０は３つの領域、即ち変数名が表示される見出し行１６２と、数値が表示される表示領域１６４と、数値データを入力することができる画面の一番下の入力／表示行１６６とに分割されている。方程式も行１６６上で編集することができる。
図８は、関数  Ｙ1 ＝５ cosＸ  を支援する数値が並んた表表示画面１６０を示している。図示のように独立変数Ｘのために表示される最小値は、図７の画面表示１５０における設定に従って  −0.5 になっている。各連続独立変数値間の増分段階も、画面表示１５０における設定に従って 0.5  である。更に表準備メニュー画面１５０において < Indpnt > 及び < Depend > が共に < Auto > に設定されているために、Ｘ及びＹ1 の数値が表示されている。
図４を参照して作表プロセス７０を詳細に説明する。表の表示様式は、表準備メニュー画面１５０における < Indpnt > 及び < Depend > パラメタの設定に依存する。ブロック７２は < Indpnt > が < Auto > に設定されているのか、もしくは < Ask >に設定されているのかを決定する。もし < Indpnt > が < Auto > に設定されていれば、ブロック７４に示すように、独立変数の数値が自動的に計算され、表示される。ブロック７６は< Depend >パラメタが < Auto > に設定されているのか、もしくは < Ask >に設定されているのかを決定する。もし < Depend > が < Auto > に設定されていれば、ブロック７８に示すように従属変数の数値が自動的に計算され、表示される。このように < Indpnt > 及び < Depend > が共に < Auto > に設定されている場合には、全ての数値が自動的に計算されて表内に表示されるのである。
【０００９】
表示された数値の他に、ユーザはカーソルを移動させて画面をスクロールさせることによって事実上表のサイズを拡張し、別の数値を見ることができる。図８に反転表示で示してあるように、カーソルは表内のＸの最初の値の箇所に位置している。もしユーザが  −0.5 より小さいＸの数値を見ることを望むのであれば上向き矢印を使用して画面を下にスクロールさせることができる。表が上もしくは下に１行スクロールする度に、プロセッサ１６は新たに現れる行のための新しい値を計算する。例えば、１行だけ下にスクロールさせると、Ｘの値  −１と、Ｙ1 の値 2.7015 とが一番上に現れる新しい行内に表示される（図示してない）。スクロールされて画面から消えた一番下の行内の値は失われ、メモリ１８内には記憶されない。同様に、もしカーソルを画面の一番下の行より更に下へ移動させるようにして一行だけ上にスクロールさせれば、一番下に現れる新しい行はＸの値３と、Ｙ1 の  −4.95  とを表示する（図示してない）。従って、図４のブロック８０に示すように、もしスクロール方向入力が供給されれば、ブロック８２及び８４に示すようにプロセッサ１６は新しいスクロール入力を受信して矢印入力に相応するように表示を変更する。
【００１０】
ユーザが表準備メニュー画面において < Ask >  に設定すると、ユーザには独立変数値を指定して対応する従属変数の値を別途入手する機会が与えられる。例えば、ブロック７２において < Indpnt > は < Auto > に設定したが、ブロック７６において < Depend > を < Ask >  に設定すれば、図９に示すように、表示される表画面には従属変数Ｙ1 の値は表示されない。図形計算機１０にＹ1 の値を表示するように指図するために、ユーザはカーソルを適切なＹ1 位置へ移動させることができる。ブロック９０に示すようにプロセッサ１６は方向入力を受信し、ブロック９２に示すようにそれに応じて画面を変更する。カーソルの位置は反転表示によって示すことができる。次いで適切な位置においてユーザは〔 ENTER〕キーを押す。ブロック９４に示すように、これによってプロセッサはＹ1 値を計算して表示する。
同様に、表準備メニュー画面上で < Indpnt > 及び < Depend > が共に < Ask >  に設定されているとブロック７２及び１０２が決定すれば、ブロック１００に示されているように、図１０のような画面１８０が表示される。このような選択をすることにより、ユーザには表内に表示される各独立変数値及び対応従属変数値を指定する機会が与えられる。即ちユーザは、特に関心のある値を使用して自由に表を作成することができる。ユーザはカーソルを所望位置に置き、入力／表示行１８６に数値を入力することによってこれを行うことができる。図１０に示す例では、ブロック１０４に示すようにプロセッサ１６はユーザが指定した独立変数値を受信する。この選択を行った場合、ユーザは従属変数の対応値毎に図形計算機１０に指図しなければならない。ブロック１０６−１１０に示すようにプロセッサ１６はカーソル運動入力をも受信し、カーソルが移動されて適切に指図された場合には従属変数値を表示する。一方、もしブロック７２において < Indpnt > が < Ask >  に設定され、ブロック１０２において < Depend > が < Auto > に設定されていると決定すれば、ブロック１１２−１１８に示してあるように、ユーザが入力／表示行１８６内へ独立変数値を入力すると直ちに従属変数の値が自動的に表示される。もしユーザが数を入力した後に、表を残したまま復帰させれば、表は先に入力された値を含み続けることに注目されたい。
【００１１】
矢印キー２６は、左及び右へスクロールさせるためにも使用できる。図５に示す数学的関数入力画面１３０上には合計 10 の数式を入力することができるが、一時に８入力行だけしか表示されない。さらなる数式を入力するために、もしくは見るように画面を上方にスクロールさせるためには下向き矢印キーを使用ことができる。同様に、表画面１６０（図８）は一時に３列だけを表示することができるが、付加的な数式の順序付けられた数値の集まりを見るために、独立変数列を画面の一番左の列に残したまま左へ“スクロール”させることができる。例えば、もし３つの数式Ｙ1 乃至Ｙ3 を入力すれば、最初の画面は独立変数Ｘと、従属変数Ｙ1 及びＹ2 の列を示すようになる。左へ１列スクロールさせることによって画面はＸ列と、Ｙ2 及びＹ3 を表示するように変化する。
もしユーザが表画面を残したまま、表に関連する定義もしくは設定を変化させることなく復帰させれば、表は不変のままである。しかしながら、もしユーザが例えば < Tbl Min >  値、及び < Auto/Ask > 設定の両方もしくは何れか一方を変更すれば、ユーザが表を復帰させた時に表はこの設定変更を表すように再計算される。
【００１２】
直角（ｘ，ｙ）関数を支援する他に、図形計算機１０は他のカテゴリの計算も遂行する。例えば、図形計算機１０は極、パラメトリック、及びシーケンス作図をも支援し、それを支援する数値データを表様式で生成する。図１１の表画面表示例１９０では従属変数ｒ１及びｒ２は独立変数θの関数であり、表様式で示されている。図１２はパラメトリック方程式のための表画面表示２００の例であり、変数Ｘ1t  及びＹ1t  は独立変数Ｔに従属している。図１３はシーケンスＵn 及びＶn を示す表画面表示２１０の例であり、ｎはシーケンス番号である。極、パラメトリック、及びシーケンス関数のための表準備メニューは上述したものと同様にして定義することができる。
警告
（Ｃ）著作権、* Ｍ *テキサス・インスツルメンツ・インコーポレーテッド、1993。本特許明細書の開示の一部分は著作権保護を受ける資料を含む。本特許明細書もしくは特許開示が合衆国特許及び商標局の特許ファイルもしくは記録に現れた場合には何人が複製しても著作権及びマスクワーク所有者は異議を唱えるものではないが、それ以外は如何なるものであってもその著作権及びマスクワークにおける全ての権利を留保する。
【００１３】
以上の記載に関連して、以下の各項を開示する。
１．  少なくとも１つの従属変数及び１つの独立変数を有する数学的関数を受信する入力装置と、
この数学的関数を計算して従属変数及び独立変数の順序付けられた数値の集まりを発生するプロセッサと、
これらの計算された順序付けられた数値の集まりを所定の表様式で表示する表示装置と
を備えていることを特徴とする計算機。
２．  入力装置は、独立変数の最小の数値と、その増分段階値をも受信して表示する上記１に記載の計算機。
３．  プロセッサは、受信した独立変数の最小の数値と増分段階値とに応答して所定数の順序付けられた数値の集まりを発生し、所定の表様式で表示させる上記２記載の計算機。
４．  入力装置は、表示された数値を表様式内で移動させるスクロール方向入力をも受信する上記１に記載の計算機。
５．  表示された数値を表様式内で移動させる受信されたスクロール方向入力はプロセッサに数学的関数を計算させて付加的な順序付けられた数値の集まりを発生して表示するように指図し、表示装置はスクロール方向入力に相関してスクロールさせて付加的な順序付けられた数値の集まりを表示する上記４に記載の計算機。
６．  入力装置は所定の表様式で表示するための独立変数の指定された数値をも受信し、プロセッサはそれに応答して受信した指定された数値を使用して数学的関数を計算して従属変数の対応数値を発生し、表示装置は従属変数の計算された数値を所定の表様式で表示する上記１に記載の計算機。
７．  グラフをプロットすることができるデジタルコンピュータにおいて、
複数のキーを有し、少なくとも１つの従属変数と１つの独立変数とを有する数学的関数を受信する入力装置と、
この数学的関数を計算し、従属変数及び独立変数の順序付けられた数値の集まりを発生するプロセッサと、
これらの計算された順序付けられた数値の集まりをユーザが定義した表様式で表示する表示装置と
を備えていることを特徴とするデジタルコンピュータ。
８．  表準備パラメタを記憶するメモリをも備え、表示装置は入力装置の所定の表準備メニューキーの作動に応答して表準備メニューを表示し、表準備メニューは独立変数の最小の数値を指定する入力欄と増分段階値を指定する入力欄とを有していて所定の表様式における表示範囲を決定し、入力装置は最小の数値及び増分段階値とを受信する上記７に記載のデジタルコンピュータ。
９．  表示装置は受信した最小の数値及び増分段階値に従って独立変数の数値をユーザが定義した表様式で表示し、入力装置が指図用キーストロークシーケンスを受信するとプロセッサは受信した特定の数値を使用して数学的関数を計算して従属変数の対応数値を発生し、表示装置は従属変数の計算された数値を所定の表様式で表示する上記８に記載のデジタルコンピュータ。
１０．  入力装置は表キー入力を受信し、それに応答してプロセッサは数学的関数に関連した所定数の順序付けられた数値の集まりを発生し、表示装置は順序付けられた数値の集まりを所定の表様式で表示する上記７に記載のデジタルコンピュータ。
１１．  入力装置は上方へスクロールさせるためのキーを含み、入力装置はこのキー入力を受信し、ユーザが定義した表様式で表示された数値を上方へ移動させる上記７に記載のデジタルコンピュータ。
１２．  ユーザが定義した表様式で表示された数値の範囲を超えて移動させるための受信した下方へスクロールさせるためのキー入力は、プロセッサに数学的関数を計算させて付加的な順序付けられた数値の集まりを発生して表示させるように指図し、表示装置は上方へスクロールさせるためのキー入力に相関して上方へスクロールさせて付加的な順序付けられた数値の集まりを表示する上記１１に記載のデジタルコンピュータ。
１３．  入力装置は下方へスクロールさせるためのキーを含み、入力装置はこのキー入力を受信し、ユーザが定義した表様式で表示された数値を下方へ移動させる上記７に記載のデジタルコンピュータ。
１４．  ユーザが定義した表様式で表示された数値の範囲を超えて移動させるための受信した下方へスクロールさせるためのキー入力は、プロセッサに数学的関数を計算させて付加的な順序付けられた数値の集まりを発生して表示させるように指図し、表示装置は下方へスクロールさせるためのキー入力に相関して下方へスクロールさせて付加的な順序付けられた数値の集まりを表示する上記１３に記載のデジタルコンピュータ。
１５．  表準備パラメタを記憶するメモリをも備え、表示装置は入力装置の所定の表準備メニューキーの作動に応答して表準備メニューを表示し、表準備メニューは独立変数に関してユーザが指定する数値に対するオプションを選択するための指定された入力欄を有し、入力装置は独立変数の指定された数値をも受信して所定の表様式で表示し、プロセッサはそれに応答し受信した指定された数値を使用して数学的関数を計算して従属変数の対応数値を発生し、表示装置は従属変数の計算された数値を所定の表様式で自動的に表示する上記７に記載のデジタルコンピュータ。
１６．  表準備メニューを記憶するメモリをも備え、表示装置は入力装置の所定の表準備メニューキーの作動に応答して表準備メニューを表示し、表準備メニューは従属変数に関してユーザが指示する数値に対するオプションを選択するための指定された入力欄を有し、プロセッサは入力装置が指図入力を受信すると数学的関数を計算して従属変数の対応数値を発生し、表示装置は従属変数の計算された数値を所定の表様式で表示する上記７に記載のデジタルコンピュータ。
１７．  表準備メニューを記憶するメモリをも備え、表示装置は入力装置の所定の表準備メニューキーの作動に応答して表準備メニューを表示し、表準備メニューは独立変数に関してユーザが指定する数値に対する第１のオプションを選択するための指定された入力欄と、従属変数に関してユーザが指示する数値に対する第２の入力欄とを有し、入力装置は独立変数の指定された数値を受信して所定の表様式で表示し、プロセッサは表示装置が指図入力を受信すると受信した指定された数値を使用して数学的関数を計算して従属変数の対応数値を発生し、表示装置は従属変数の計算された数値を所定の表様式で表示する上記７に記載のデジタルコンピュータ。
１８．  計算機内の表情報と共にグラフを支援する方法において、
少なくとも１つの従属変数及び１つの独立変数を有する数学的関数を受信する段階と、
この数学的関数を計算して従属変数及び独立変数の順序付けられた数値の集まりを発生する段階と、
これらの計算された順序付けられた数値の集まりを所定の表様式で表示する段階とを備えていることを特徴とする方法。
１９．  所定の表様式で表示するために独立変数の最小の数値と、その増分段階値とを受信する段階をも備えている上記１８に記載の方法。
２０．  計算段階は、受信した独立変数の最小の数値及び増分段階値に応答し、所定数の順序付けられた数値の集まりをも発生して所定の表様式で表示する上記１９に記載の方法。
２１．  スクロール方向入力を受信して表示された数値を表様式内で移動させる段階をも備えている上記１８に記載の方法。
２２．  表示された数値を表様式の範囲を超えて移動させるスクロール方向入力の受信に応答して付加的な順序付けられた数値の集まりを計算する段階と、
スクロール方向入力に相関してスクロールさせ、付加的な順序付けられた数値の集まりを表示する段階
をも備えている上記２１に記載の方法。
２３．  独立変数の特定数値を受信して所定の表様式で表示する段階と、
受信した特定数値を使用して数学的関数を計算し、独立変数に対応する数値を発生する段階と、
独立変数の計算された数値を所定の表様式で表示する段階
をも備えている上記１８に記載の方法。
【００１４】
以上に本発明及びその長所を詳細に説明したが、請求の範囲によって限定されている本発明の思想及び範囲から逸脱することなく、種々の変更、置換及び代替を考案し得ることを理解されたい。
【図面の簡単な説明】
【図１】数学的解、グラフ及び表情報を生成するための専用プログラムを有する例示図形計算機の正面図である。
【図２】数学的関数を支援する表を生成するプロセスを示す部分流れ図である。
【図３】表を準備し生成するプロセスを示すより詳細な流れ図である。
【図４】表を表示するプロセスを示すより詳細な流れ図である。
【図５】数学的関数を入力するための計算機表示画面である。
【図６】数学的関数例のプロットの計算機表示画面である。
【図７】数学的関数を入力するための計算機表示画面である。
【図８】数学的関数例を支援する表の計算機表示画面であって、 < Indpnt > 及び < Depend > が共に < Auto > に選択されている場合を示す図である。
【図９】数学的関数例を支援する表の計算機表示画面であって、 < Indpnt > が < Auto > に、また < Depend > が < Ask >  に選択されている場合を示す図である。
【図１０】数学的関数例を支援する表の計算機表示画面であって、 < Indpnt > 及び < Depend > が共に < Ask >  に選択されている場合を示す図である。
【図１１】極方程式を支援する表の計算機表示画面である。
【図１２】パラメトリック関数を支援する表の計算機表示画面である。
【図１３】数値シーケンスを支援する表の計算機表示画面である。
【符号の説明】
１０  図形計算機
１２  図形表示画面
１４  入力装置
１６  プロセッサ
１８  メモリ
２０  〔Ｙ＝〕キー
２２  〔 TblSet 〕キー
２４  〔 GRAPH〕及び〔 TABLE〕キー
２６  矢印キー
２８  〔２nd〕キー
１３０  関数入力表示画面
１４０  グラフ表示画面
１５０  表準備メニュー画面
１６０、１７０、１８０  表表示画面
１６２、１７２、１８２、１９２、２０２、２１２  見出し行
１６４、１７４、１８４、１９４、２０４、２１４  表示領域
１６６、１７６、１８６、１９６、２０６、２１６  入力／表示行
１９０  極関数表示画面
２００  パラメトリック関数表示画面
２１０  数値シーケンス表示画面
【図１】
0003701991.tif 000002
【図２】
0003701991.tif 000003
【図３】
0003701991.tif 000004
【図４】
0003701991.tif 000005
【図５】
0003701991.tif 000006
【図６】
0003701991.tif 000007
【図７】
0003701991.tif 000008
【図８】
0003701991.tif 000009
【図９】
0003701991.tif 000010
【図１０】
0003701991.tif 000011
【図１１】
0003701991.tif 000012
【図１２】
0003701991.tif 000013
【図１３】
0003701991.tif 000014